(57)【特許請求の範囲】
【請求項１】
貫通孔が形成された筒状部を有する金属製の軸受け部材と、金属材から構成され前記貫通孔に回転可能に挿通された軸部材と、前記軸部材の回転動作を検出する回転検出手段と、前記軸部材の軸線方向への押圧操作によって駆動されるプッシュスイッチと、を備え、
前記軸部材は、前記貫通孔に挿通される軸部と前記軸受け部材の外側に配設され前記軸部より大きな形状に形成された操作部とを有し、初期状態において前記操作部の下端面が前記軸受け部材の先端面と離間して対向している回転型電気部品において、
前記軸部材には、前記軸部と前記操作部の下端面とを繋ぐように形成された第１傾斜部が設けられ、前記第１傾斜部は前記軸部側から前記操作部側に向かうにしたがって径が大きくなるように形成されており、
前記軸受け部材の前記先端面側の内周面には、前記第１傾斜部と当接可能な形状に形成された受け部が設けられており、
前記操作部を下方側に押圧操作した際に、前記プッシュスイッチが駆動されるとともに、前記第１傾斜部が前記受け部に当接し、
前記プッシュスイッチが駆動するよりも大きな荷重が前記軸部材に加えられた際には、前記第１傾斜部と前記受け部とが当接した後に、前記操作部の下端面が前記軸受け部材の前記先端面と当接することを特徴とする回転型電気部品。
【請求項２】
前記受け部には、前記第１傾斜部と同じ方向に傾斜した第２傾斜部が設けられ、
前記操作部を下方側に押圧操作した際に、前記第１傾斜部が前記第２傾斜部に当接することを特徴とする請求項１に記載の回転型電気部品。
【請求項３】
前記第１傾斜部と前記第２傾斜部とが同じ角度で傾斜していることを特徴とする請求項２に記載の回転型電気部品。
【請求項４】
前記第１傾斜部及び前記第２傾斜部の傾斜角度が、１５度以上で３０度以下であることを特徴とする請求項３に記載の回転型電気部品。
【発明の詳細な説明】
【技術分野】
【０００１】
本発明は、電子機器等の各種入力に好適な回転型電気部品に関する。
【背景技術】
【０００２】
従来、回転操作される回転軸に対する回転操作量を検出する回転型電気部品が知られている。特に、回転軸に対する押圧操作を検出するプッシュスイッチが内蔵された回転型電気部品は、電子機器等の各種制御に用いられている。例えば、特許文献１には、回転トルクのムラを防止して操作性に優れた回転型電気部品が開示されている。
【０００３】
図８は特許文献１に記載された回転型電気部品１００の分解斜視図である。図９は、回転型電気部品１００の初期状態における断面図である。図１０は、回転型電気部品１００に対して押圧操作が行われた場合の断面図である。回転型電気部品１００は、金属製の軸受け部材１０１と、回転可能に挿通される軸部材１０２と、摺動子１０３を保持し軸部材１０２と共に回転する摺動子受け１０４と、基板１０５を保持する絶縁部材１０６と、荷重を加える板ばね１０７と、プッシュスイッチを構成する可動接点１０８及び固定接点１０９と、底面を構成するケース１１０と、取付部材１１１とを含んで構成されている。
【０００４】
軸部材１０２に対して回転操作が行われた場合、軸部材１０２と一緒に連結部材１１４も回転する。また、連結部材１１４が回転すると連結部材１１４と一緒に摺動子受け１０４も回転する。摺動子受け１０４が回転すると、摺動子１０３が基板１０５の導電パターン上を摺動する。このとき、導電パターン上における摺動子１０３の接触位置に応じた信号が外部接続用端子を介して出力される。本回転型電気部品を搭載する電子機器等においては、この出力信号に応じて軸部材１０２に対する回転操作量を検出するものとなっている。
【０００５】
一方、図９に示す初期状態から軸部材１０２に対して押圧操作が行われた場合には、図１０に示すように、鍔部１２１が軸受け部材１０１の上面に接触する位置まで軸部材１０２が移動する。これに伴って、軸部材１０２がラバー部材１１５の当接部１５１を下方側に押し込む。これにより、ラバー部材１１５の反転部１５２が反転し、当接部１５１の下面が可動接点１０８の接点部１８２を押し下げ、中央固定接点１９１と接触させる。この接点部１８２と中央固定接点１９１との接触により、プッシュスイッチのオン信号が外部接続用端子を介して出力される。回転型電気部品１００を搭載する電子機器等においては、この出力信号に応じて軸部材１０２に対する押圧操作の有無を検出するものとなっている。
【先行技術文献】
【特許文献】
【０００６】
【特許文献１】特開２００９−２８３３２７号公報
【発明の概要】
【発明が解決しようとする課題】
【０００７】
しかしながら、プッシュスイッチを駆動するために、軸部材１０２に対して押圧操作を行うと、鍔部１２１が軸受け部材１０１の上面に当たって軸線方向の動きが止まるため、当接する際に衝突音が発生し、品位を損なう。特に、軸受け部材１０１と軸部材１０２をいずれも金属材とした場合に、この課題は顕著になる。
【０００８】
本発明は、上述した課題を解決するもので、軸部材を押圧し、その動きが軸受け部材によって規制されるものにおいても、両者が当たる際の衝突音を小さくすることができる回転型電気部品を提供することを目的とする。
【課題を解決するための手段】
【０００９】
本発明の回転型電気部品は、貫通孔が形成された筒状部を有する金属製の軸受け部材と、金属材から構成され前記貫通孔に回転可能に挿通された軸部材と、前記軸部材の回転動作を検出する回転検出手段と、前記軸部材の軸線方向への押圧操作によって駆動されるプッシュスイッチと、を備え、前記軸部材が、前記貫通孔に挿通される軸部と前記軸受け部材の外側に配設され前記軸部より大きな形状に形成された操作部とを有し、初期状態において前記操作部の下端面が前記軸受け部材の先端面と離間して対向している回転型電気部品において、前記軸部材には、前記軸部と前記操作部の下端面とを繋ぐように形成された第１傾斜部が設けられ、前記第１傾斜部は前記軸部側から前記操作部側に向かうにしたがって径が大きくなるように形成されており、前記軸受け部材の前記先端面側の内周面には、前記第１傾斜部と当接可能な形状に形成された受け部が設けられており、前記操作部を下方側に押圧操作した際に、前記プッシュスイッチが駆動されるとともに、前記第１傾斜部が前記受け部に当接することを特徴とする。
【００１０】
この構成によれば、軸部材の押圧操作時に、軸部材の第１傾斜部が軸受け部材の受け部に当接して、軸線方向と直交する面同士での当接が抑制されるものとなるので、押圧操作の際の衝突音を小さくすることができ、品位を高めることができる。
【００１１】
また、本発明の回転型電気部品は、前記受け部に、前記第１傾斜部と同じ方向に傾斜した第２傾斜部が設けられ、前記操作部を下方側に押圧操作した際に、前記第１傾斜部が前記第２傾斜部に当接することを特徴とする。
【００１２】
この構成によれば、受け部に設けられた第２傾斜部が第１傾斜部と同じ方向に傾斜しているので、第１傾斜部が滑らかに接触して、衝突音をより小さくすることができる。
【００１３】
また、本発明の回転型電気部品は、前記第１傾斜部と前記第２傾斜部とが同じ角度で傾斜していることを特徴とする。
【００１４】
この構成によれば、第１傾斜部と第２傾斜部とが面で僅かに摺接するので、接触が安定し、音の発生のばらつきを抑えることができる。
【００１５】
また、本発明の回転型電気部品は、前記第１傾斜部及び前記第２傾斜部の傾斜角度が、１５度以上で３０度以下であることが好ましい。
【００１６】
この構成によれば、角度が大きすぎないので、適切に、第１傾斜部が軸受け部材の受け部に入り込んで、受け部を僅かに広げることができる。
【００１７】
また、本発明の回転型電気部品は、前記プッシュスイッチが駆動するよりも大きな荷重が前記軸部材に加えられた際には、前記第１傾斜部と前記受け部とが当接した後に、前記操作部の下端面が前記軸受け部材の前記先端面と当接することを特徴とする。
【００１８】
この構成によれば、過度な軸部材への押圧力が加えられたとしても、操作部の下端面が軸受け部材の先端面と当接し、軸受け部材の受け部が広がり過ぎないので、軸部材が受け部に食い込んだまま初期状態に復帰しなくなる不具合を防止できる。また、軸部材が金属材で形成されていても、過荷重がプッシュスイッチに加えられる前に操作部の下端面が軸受け部材の先端面と当接し、プッシュスイッチの押圧荷重が規制されるので、プッシュスイッチの破壊を防止できる。
【発明の効果】
【００１９】
本発明によれば、軸部材の押圧操作時に、軸部材の第１傾斜部が軸受け部材の受け部に当接して、軸線方向と直交する面同士での当接が抑制されるものとなるので、押圧操作の際の衝突音を小さくすることができ、品位を高めることができる。したがって、軸部材を押圧し、その動きが軸受け部材によって規制されるものにおいても、両者が当たる際の衝突音を小さくすることができる回転型電気部品を提供することができる。
【図面の簡単な説明】
【００２０】
【図１】本発明の実施形態の回転型電気部品を斜め上方から見た斜視図である。
【図２】本発明の実施形態の回転型電気部品を示す正面図である。
【図３】本発明の実施形態の回転型電気部品を斜め下方から見た分解斜視図である。
【図４】本発明の実施形態の回転型電気部品を斜め側方から見た分解斜視図である。
【図５】図２のＶ−Ｖ線で切断した断面図である。
【図６】図５の断面において軸部材が軸線方向に押圧操作された状態を示す断面図である。
【図７】図６のＡ部の拡大断面を示す模式図である。
【図８】従来の回転型電気部品の分解斜視図である。
【図９】従来の回転型電気部品の初期状態における断面図である。
【図１０】従来の回転型電気部品に対して押圧操作が行われた場合の断面図である。
【発明を実施するための形態】
【００２１】
［第１実施形態］
以下、本発明の実施の形態について図面を用いて詳細に説明する。なお、分かりやすいように、図面は寸法を適宜変更している。
【００２２】
図１は、本発明の実施形態の回転型電気部品１を斜め上方から見た斜視図である。図２は、回転型電気部品１を示す正面図である。図３は、回転型電気部品１を斜め下方から見た分解斜視図である。図４は、回転型電気部品１を斜め側方から見た分解斜視図である。図５は、図２のＶ−Ｖ線で切断した断面図である。図６は、図５の断面において軸部材１０が軸線方向に押圧操作された状態を示す断面図である。図７は、図６のＡ部の拡大断面を示す模式図である。なお、図７では断面のハッチングを省略している。
【００２３】
本発明の実施形態の回転型電気部品１は、図１及び図２に示す外形を有し、図３及び図４に示すように、軸部材１０と、軸受け部材２０と、回転検出手段３０と、プッシュスイッチ４０とを備え、ケース部材５０に組み込まれたものである。なお、本明細書においては、以下の説明を分かりやすくするために、図１のＺ１側を上方、Ｚ２側を下方とする。
【００２４】
軸部材１０は、アルミニウム等の金属材から、例えば切削加工によって構成され、断面が円形状の軸部１１と、軸部１１より大きな形状に形成された操作部１２とを有している。軸部材１０には、図２及び図３に示すように、軸部１１と操作部１２の下端面１２ａとを繋ぐように形成された第１傾斜部１３が設けられ、第１傾斜部１３は軸部１１側から操作部１２側に向かうにしたがって径が大きくなるように形成されている。また、軸部材１０には、抜け止め用のリング部材１６を嵌め込むための溝が形成されている。さらに、軸部１１の下端には係合部１１ａが形成されている。
【００２５】
駆動体１５は、合成樹脂が成形されたものである。駆動体１５は、軸部材１０の係合部１１ａが嵌合する形状に形成されている。また、駆動体１５は、後述する回転体３１に摺接する形状に形成されている。軸部材１０の係合部１１ａに駆動体１５を嵌合させることによって、回転体３１に対する軸部材１０の所望の動作を可能にしている。
【００２６】
軸受け部材２０は金属製で、例えば、亜鉛ダイキャストで構成され、筒状部２５と、この筒状部２５の下方側に設けられる矩形状のフランジ部２６とを有している。軸受け部材２０の筒状部２５には、図４に示すように、軸部材１０が回転可能に挿通される貫通孔２１が形成されている。貫通孔２１は軸部材１０の軸部１１ががたつきを生じることなく摺動可能な適度な寸法を有し、操作部１２及び第１傾斜部１３を挿通することはできない。筒状部２５の先端面２５ａ側の内周面には、図４〜図７に示すように、第２傾斜部２３を備えた受け部２２が設けられている。第２傾斜部２３の下方側では、軸線１０ａ方向に平行な円筒壁面に滑らかに連続する。
【００２７】
回転検出手段３０は、軸部材１０の回転動作を検出するもので、軸部材１０の軸線１０ａを中心に回転可能な回転体３１と、回転体３１に取り付けられた摺動子３２と、円周方向に分割配置された導電部材３３、３４、３５とを備えている。回転体３１は、合成樹脂からなり、駆動体１５を収容する部分に貫通部が形成されている。この貫通部は、駆動体１５が軸線１０ａを中心に回転するときに駆動体１５と一体に回転体３１を回転させるとともに、駆動体１５が下方に移動するときには駆動体１５及び軸部１１を移動可能とする形状を有している。摺動子３２は、金属の板バネを加工したものである。導電部材３３、３４、３５は、導電性の金属を加工したものである。摺動子３２が導電部材３３、３４、３５の電極パターンと接離することにより、回転体３１の回転を検出できるように構成される。なお、導電部材３３、３４、３５の一部は、後述する第１ケース部材５１から外部に露出し、端子部を構成している。また、回転体３１の上面には凹凸部が形成されている。そして、この凹凸部に弾接可能となるように、金属製のバネ部材３６が軸受け部材２０に固定されている。これにより、回転体３１の回転に要する荷重が回転に伴って変化する。
【００２８】
プッシュスイッチ４０は、可動接点部材４１と固定接点部材４２と支持部材４３と弾性部材４５とを備えている。可動接点部材４１は、導電性の金属板からなり、図４に示すように、可動接点部４１ａと、可動接点部４１ａを弾性変形可能に支持する支持部４１ｂとを備えている。固定接点部材４２は、導電性の金属板からなり、固定接点部４２ａと端子部４２ｂとを有している。支持部材４３は導電性の金属板からなり、支持接点部４３ａと端子部４３ｂとを有している。可動接点部材４１の可動接点部４１ａが初期状態で固定接点部４２ａに接触しないように配置される。支持部材４３は、固定接点部４２ａ及び端子部４２ｂには接触しない位置に配置され、支持接点部４３ａが可動接点部材４１の支持部４１ｂを支持している。弾性部材４５は、例えばシリコーンゴムをドーム状に成形したものであり、上下方向に弾性変形可能である。弾性部材４５の外周に位置する脚部は、可動接点部材４１の支持部４１ｂに当接するように配置され、弾性部材４５の中央部は初期状態で可動接点部４１ａとは離間している。弾性部材４５は、脚部が座屈するように弾性変形したときに、可動接点部４１ａが固定接点部４２ａに接触するように可動接点部４１ａを押圧する。
【００２９】
ケース部材５０は、導電部材３３、３４、３５を保持する第１ケース部材５１と、固定接点部材４２及び支持部材４３を保持する第２ケース部材５２と、第１ケース部材５１、第２ケース部材５２及び軸受け部材２０を一体に保持するカバー５３とからなる。
【００３０】
第１ケース部材５１は、絶縁性を有する合成樹脂からなり、図３及び図４に示すように、導電部材３３、３４、３５と一体にインサート成形されたものである。
【００３１】
第２ケース部材５２は、絶縁性を有する合成樹脂からなり、図３及び図４に示すように、固定接点部材４２及び支持部材４３と一体にインサート成形されたものである。
【００３２】
カバー５３は、金属板を折り曲げ加工したものである。カバー５３は、図１〜図４に示すように、上板部５３ａと、上板部５３ａから折り曲げ形成された側板部５３ｂと、側板部５３ｂの下方から折り曲げ形成された係止部５３ｃとを備えている。上板部５３ａは、軸受け部材２０の筒状部２５が突出する開口を有している。側板部５３ｂは、軸受け部材２０のフランジ部２６と、第１ケース部材５１と、第２ケース部材５２とを挟み込むようにして、それらの側面の対向する２面に配置されている。係止部５３ｃは、第２ケース部材５２の下側を係止している。
【００３３】
本実施形態の回転型電気部品１は、第２ケース部材５２に、可動接点部材４１、弾性部材４５、第１ケース部材５１及び摺動子３２が固定された回転体３１を載置しておく。一方、軸部材１０は、バネ部材３６が固定された軸受け部材２０に、軸部１１が挿通され、軸部１１に抜け止め用のリング部材１６が嵌装されてから、係合部１１ａに駆動体１５が固定される。この状態で、駆動体１５が弾性部材４５に当接するように、第１ケース部材５１に軸受け部材２０が載置される。そして、カバー５３が係止部５３ｃを折り曲げていない状態で上方から配置され、最後に係止部５３ｃを折り曲げて一体化される。
【００３４】
本実施形態の回転型電気部品１は、図１に示すように、軸部材１０の操作部１２が回転操作可能であるとともに、押圧操作可能に設けられている。回転型電気部品１は、以下のように、軸部材１０の回転操作及び押圧操作を検出することができる。
【００３５】
回転検出手段３０は、軸部材１０の回転操作により回転体３１が回転し、導電部材３３、３４、３５の電極パターンが摺動子３２の３つの接点部と接離することによって、導電部材３３、３４、３５の間の導通状態が切り替わり、摺動子３２の接点部の接触位置に応じた信号が出力される。こうして、出力される信号の変化により回転操作を検出することができる。また、軸部材１０の回転操作により回転体３１が回転したときに、回転体３１に形成されている凹凸部にバネ部材３６が弾接し、操作部１２に対して適度な操作感触を発生させることができる。
【００３６】
プッシュスイッチ４０は、図５及び図６に示すように、軸部材１０の軸線１０ａ方向への押圧操作によって駆動される。すなわち、図５に示す初期状態から操作部１２に対して押圧操作が行われた場合には、図６に示すように、押圧操作によって弾性部材４５が変形して、可動接点部材４１の可動接点部４１ａが固定接点部材４２の固定接点部４２ａに接触する。これにより、可動接点部材４１を介して固定接点部材４２の端子部４２ｂと支持部材４３の端子部４３ｂとが導通する。したがって、軸部材１０の押圧操作を検出することができる。また、押圧操作から解放されると、図５に示すように、弾性部材４５が初期状態に復元するとともに、可動接点部４１ａが固定接点部４２ａから離れる。したがって、非押圧操作状態に戻ったことを検出することができる。
【００３７】
次に、本実施形態の回転型電気部品１の特徴について詳述する。
【００３８】
軸部材１０には、軸部１１と操作部１２の下端面１２ａとを繋ぐように形成された第１傾斜部１３が設けられている。一方、軸受け部材２０は、筒状部２５の先端面２５ａ側の内周面には、第１傾斜部１３と当接可能な形状に形成された受け部２２が設けられている。より具体的には、図７に示すように、受け部２２は、第２傾斜部２３を備え、下方から先端面２５ａ側に向かって軸部１１の径より徐々に大きくなるとともに、軸部１１と操作部１２の下端面１２ａとを繋ぐ第１傾斜部１３の最大径より小さな寸法の径に形成されている。図２及び図５に示すように、初期状態において操作部１２の下端面１２ａが軸受け部材２０の先端面２５ａと離間して対向している。
【００３９】
本実施形態では、図７に示すように、軸部材１０の軸線１０ａ方向に対して、第１傾斜部１３のテーパ面の角度θが２０度となるように構成されている。受け部２２には、図７に示すように、第１傾斜部１３と同じ方向に傾斜した第２傾斜部２３が設けられている。本実施形態では、軸部材１０の第１傾斜部１３と第２傾斜部２３が、同じ角度に形成されている。
【００４０】
操作部１２を下方側に押圧操作した際に、プッシュスイッチ４０が駆動されるとともに、第１傾斜部１３が受け部２２に設けられた第２傾斜部２３に当接する。第２傾斜部２３が第１傾斜部１３と同じ方向に同じ角度で傾斜しているので、第１傾斜部１３が滑らかに接触して、第１傾斜部１３と第２傾斜部２３とが面で僅かに摺接する。なお、このテーパ面は、下端面１２ａ側の第１傾斜部１３が受け部２２の最大内径より大きな径になるように製造ばらつきも考慮されて、且つ、第２傾斜部２３に接触してから僅かに擦れるように摺接可能な角度であればよい。このテーパ面の角度θを検討した結果、１５度以上で３０度以下であれば上述した効果を奏し、２０度が最適であると判断された。
【００４１】
従来は、本実施形態と異なり、第１傾斜部１３と、第１傾斜部１３が当接する受け部２２とが設けられていなかった。このため、操作部１２の下端面１２ａと、軸受け部材２０の筒状部２５の先端面２５ａとの、軸線１０ａ方向と直交する面同士が、直に当接する問題があった。特に、軸部材１０と軸受け部材２０とがどちらも金属材である場合、金属同士が衝突する衝突音が顕著となっていた。
【００４２】
本実施形態では、軸部材１０の押圧操作時に、軸部材１０の第１傾斜部１３が軸受け部材２０の受け部２２に最初に当接して、その時点における軸線１０ａ方向と直交する面同士での当接が抑制される。したがって、押圧操作の際の衝突音を小さくすることができ、品位を高めることができる。
【００４３】
さらに、第１傾斜部１３が第２傾斜部２３と滑らかに接触して、面で僅かに摺接するので、第１傾斜部１３での接触が安定する。なお、第１傾斜部１３及び第２傾斜部２３の傾斜角度が、１５度以上で３０度以下であることが好ましい。こうすれば、角度が大きすぎないので、適切に、第１傾斜部１３が軸受け部材２０の受け部２２に入り込んで、受け部２２を僅かに広げることができる。大きな荷重が加えられた場合でも、第１傾斜部１３が軸受け部材２０の受け部２２に入り込んで、受け部２２を僅かに広げるように作用する。
【００４４】
このような構成によれば、軸部材１０の動きが緩衝される制動力を生じることになるものと考察される。また、従来の構成で衝突音を生じていた軸線１０ａ方向と直交する面同士での当接が生じにくくなる。これらの作用によって、大きな衝突音を生じにくくなると思われる。なお、第２傾斜部２３を設けず、受け部２２の形状が曲面状となるようにしてもよい。この場合、摺接する面積が少なくなるが、第１傾斜部１３が滑らかに接触するので、押圧操作の際の衝突音を小さくすることができる。
【００４５】
また、プッシュスイッチ４０が駆動するよりも大きな荷重が軸部材１０に加えられた際には、第１傾斜部１３と受け部２２とが当接した後に、操作部１２の下端面１２ａが軸受け部材２０の先端面２５ａと当接するように構成していることが好適である。過度な軸部材１０への押圧力が加えられたとしても、操作部１２の下端面１２ａが軸受け部材２０の先端面２５ａと当接し、軸受け部材２０の受け部２２が広がり過ぎないので、軸部材１０が受け部２２に食い込んだまま初期状態に復帰しなくなる不具合を防止できる。
【００４６】
また、軸部材１０が金属材で形成されていても、過荷重がプッシュスイッチ４０に加えられる前に操作部１２の下端面１２ａが軸受け部材２０の先端面２５ａと当接し、プッシュスイッチ４０の押圧荷重が規制されるので、プッシュスイッチ４０の破壊を防止できる。
【００４７】
軸受け部材２０の筒状部２５の肉厚が薄い場合には、受け部２２が広がり過ぎると破壊に至ることも懸念されるが、操作部１２の下端面１２ａが軸受け部材２０の先端面２５ａと当接して受け部２２が広がり過ぎないように構成すれば、破壊しにくいものとすることができる。
【００４８】
以下、本実施形態としたことによる効果について説明する。
【００４９】
本実施形態の回転型電気部品１は、貫通孔２１が形成された筒状部２５を有する金属製の軸受け部材２０と、金属材から構成され貫通孔２１に回転可能に挿通された軸部材１０と、軸部材１０の回転動作を検出する回転検出手段３０と、軸部材１０の軸線１０ａ方向への押圧操作によって駆動されるプッシュスイッチ４０とを備え、軸部材１０が、貫通孔２１に挿通される軸部１１と軸受け部材２０の外側に配設され軸部１１より大きな形状に形成された操作部１２とを有し、初期状態において操作部１２の下端面１２ａが軸受け部材２０の先端面２５ａと離間して対向している回転型電気部品１において、軸部材１０には、軸部１１と操作部１２の下端面１２ａとを繋ぐように形成された第１傾斜部１３が設けられ、第１傾斜部１３は軸部１１側から操作部１２側に向かうにしたがって径が大きくなるように形成されており、軸受け部材２０の先端面２５ａ側の内周面には、第１傾斜部１３と当接可能な形状に形成された受け部２２が設けられており、操作部１２を下方側に押圧操作した際に、プッシュスイッチ４０が駆動されるとともに、第１傾斜部１３が受け部２２に当接する。
【００５０】
この構成によれば、軸部材１０の押圧操作時に、軸部材１０の第１傾斜部１３が軸受け部材２０の受け部２２に当接して、軸線１０ａ方向と直交する面同士での当接が抑制されるものとなるので、押圧操作の際の衝突音を小さくすることができ、品位を高めることができる。
【００５１】
また、本実施形態の回転型電気部品１は、受け部２２に、第１傾斜部１３と同じ方向に傾斜した第２傾斜部２３が設けられ、操作部１２を下方側に押圧操作した際に、第１傾斜部１３が第２傾斜部２３に当接する。
【００５２】
この構成によれば、受け部２２に設けられた第２傾斜部２３が第１傾斜部１３と同じ方向に傾斜しているので、第１傾斜部１３が滑らかに接触して、衝突音をより小さくすることができる。
【００５３】
また、本実施形態の回転型電気部品１は、第１傾斜部１３と第２傾斜部２３とが同じ角度で傾斜している。
【００５４】
この構成によれば、第１傾斜部１３と第２傾斜部２３とが面で僅かに摺接するので、接触が安定し、音の発生のばらつきを抑えることができる。
【００５５】
また、本実施形態の回転型電気部品１は、第１傾斜部１３及び第２傾斜部２３の傾斜角度が、１５度以上で３０度以下であることが好ましい。
【００５６】
この構成によれば、角度が大きすぎないので、適切に、第１傾斜部１３が軸受け部材２０の受け部２２に入り込んで、受け部２２を僅かに広げることができる。
【００５７】
また、本実施形態の回転型電気部品１は、プッシュスイッチ４０が駆動するよりも大きな荷重が軸部材１０に加えられた際には、第１傾斜部１３と受け部２２とが当接した後に、操作部１２の下端面１２ａが軸受け部材２０の先端面２５ａと当接する。
【００５８】
この構成によれば、過度な軸部材１０への押圧力が加えられたとしても、操作部１２の下端面１２ａが軸受け部材２０の先端面２５ａと当接し、軸受け部材２０の受け部２２が広がり過ぎないので、軸部材１０が受け部２２に食い込んだまま初期状態に復帰しなくなる不具合を防止できる。また、軸部材１０が金属材で形成されていても、過荷重がプッシュスイッチ４０に加えられる前に操作部１２の下端面１２ａが軸受け部材２０の先端面２５ａと当接し、プッシュスイッチ４０の押圧荷重が規制されるので、プッシュスイッチ４０の破壊を防止できる。
【００５９】
以上のように、本発明の実施形態の回転型電気部品１を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００６０】
（１）本実施形態において、回転検出手段３０は導電部材３３、３４、３５の電極パターンが摺動子３２と接離するとしたが、回転を検出する他の構成に変更してもよい。例えば、磁気式や光学式の非接触回転検出手段を備える構成であってもよい。
【００６１】
（２）本実施形態において、プッシュスイッチ４０は、可動接点部４１ａと、可動接点部４１ａを弾性変形可能に支持する支持部４１ｂとを備えるとしたが、可動接点部４１ａがドーム形状のものであってもよい。また、可動接点部４１ａが弾性部材４５に設けられた電極面で、一対の固定接点部に接離する構成であってもよい。
【００６２】
（３）本実施形態において、ケース部材５０は第１ケース部材５１と第２ケース部材５２とカバー５３とからなるとしたが、軸受け部材２０を保持し、回転検出手段とプッシュスイッチとを収容する態様であればよい。例えば、必要な構成を備えたひとつの部材であってもよく、また、他の複数の部材で構成されるように変更してもよい。
【符号の説明】
【００６３】
１      回転型電気部品
１０    軸部材
１０ａ  軸線
１１    軸部
１１ａ  係合部
１２    操作部
１２ａ  下端面
１３    第１傾斜部
１５    駆動体
１６    リング部材
２０    軸受け部材
２１    貫通孔
２２    受け部
２３    第２傾斜部
２５    筒状部
２５ａ  先端面
２６    フランジ部
３０    回転検出手段
３１    回転体
３２    摺動子
３３    導電部材
３４    導電部材
３５    導電部材
３６    バネ部材
４０    プッシュスイッチ
４１    可動接点部材
４１ａ  可動接点部
４１ｂ  支持部
４２    固定接点部材
４２ａ  固定接点部
４２ｂ  端子部
４３    支持部材
４３ａ  支持接点部
４３ｂ  端子部
４５    弾性部材
５０    ケース部材
５１    第１ケース部材
５２    第２ケース部材
５３    カバー
５３ａ  上板部
５３ｂ  側板部
５３ｃ  係止部
θ      角度
【図１】
0006471053.tif 000002
【図２】
0006471053.tif 000003
【図３】
0006471053.tif 000004
【図４】
0006471053.tif 000005
【図５】
0006471053.tif 000006
【図６】
0006471053.tif 000007
【図７】
0006471053.tif 000008
【図８】
0006471053.tif 000009
【図９】
0006471053.tif 000010
【図１０】
0006471053.tif 000011